(57)【要約】【課題】光ピックアップの小型化と光ディスク駆動装置の小型化、回路規模の縮小化、低消費電力化を実現することを目的とする。【解決手段】光電流出力を電圧に変換する電流−電圧変換回路を備えた信号光検出装置において、電流−電圧の変換率を切り換えられる手段を有した。さらに、光源からの光を検出し、その出力に応じて、電流−電圧変換率を切り換えられるようにした。即ち、光電流出力を電圧に変換する電流−電圧変換回路４１３を備えた光ピックアップにおいて、電流−電圧の変換率を切り換えられる手段を有した。さらに、光源２，９からの光を検出し、その出力に応じて、電流−電圧変換率を切り換えられるようにした。【選択図】図４
2005276434.tif 000002
【特許請求の範囲】
【請求項１】
記録媒体から反射されてきた信号光を検出して電流に変換する光電変換部と、前記光電変換部からの電流出力を電圧に変換する電流−電圧変換回路とを備えた受光手段において、前記電流−電圧変換回路の変換率を少なくとも２段階以上に切り換える変換率切換手段を有したことを特徴とする光ピックアップ。
【請求項２】
光源から射出された光を検出して電流に変換する光電変換部と、前記光電変換部からの電流出力を電圧出力に変換する電流−電圧変換回路と、前記電流−電圧変換回路からの電圧出力を所定の基準電圧と比較する電圧比較器とを備えた光源出力監視装置と、
記録媒体から反射されてきた信号光を検出して電流に変換する光電変換部と、前記光電変換部からの電流出力を電圧出力に変換する電流−電圧変換回路とを備えた信号光検出装置とを具備した受光手段において、
前記光源出力監視装置の出力に応じて、前記信号光検出装置内の前記電流−電圧変換回路の変換率を少なくとも２段階以上に切り換える変換率切換手段を有したことを特徴とする光ピックアップ。
【請求項３】
光源と、前記光源からの光を検出し電流に変換する光電変換部と、前記光電変換部からの電流出力を電圧出力に変換する電流−電圧変換回路と
、前記電流−電圧変換回路の電圧出力を所定の基準電圧と比較する電圧比較器とを備えた光源出力監視装置と、記録媒体から反射されてきた信号光を検出し電流に変換する光電変換部と、前記光電変換部からの電流出力を電圧に変換する電流−電圧変換回路とを備えた信号光検出装置とを具備した受光手段と、前記光源出力監視装置の出力に応じて、前記信号光検出装置内の前記電流−電圧変換回路の変換率を少なくとも２段階以上に切り換える変換率切換手段と、前記光源の光を所定の位置に導く光学部材と、を１つのパッケージに設けたことを特徴とする光ピックアップ。
【請求項４】
第１の光源と、前記第１の光源を駆動する第１の光源駆動手段と、第２の光源と、前記第２の光源を駆動する第２の駆動手段と、前記第１の光源からの光と前記第２の光源からの光を受光し、その受光した光の量に応じた電気信号を出力する受光部とを備え、前記電気信号により、前記第１の光源駆動手段と前記第２の光源駆動手段とを制御することを特徴とする光ピックアップ。
【発明の詳細な説明】
【技術分野】
【０００１】
本発明は、光ディスクの情報の記録や再生を行う光ピックアップ装置に係り、特に、ＣＤやＣＤ−ＲＯＭ、ＣＤ−Ｒ等の従来型光ディスクやデジタルビデオディスク（ＤＶＤ、ＤＶＤ−ＲＯＭ、ＤＶＤ−ＲＡＭ）等の高密度光ディスクのようにディスク基板の厚みや記録密度等の規格の異なる光ディスクの記録や再生が可能な光ピックアップに関する。
【背景技術】
【０００２】
従来型光ディスクとして、音楽ソフトやコンピュータ用ソフトの媒体としてコンパクトディスク（ＣＤ、ＣＤ−ＲＯＭ）が幅広く普及しているが、近年、映像ソフトや大容量コンピュータソフトの媒体として、高密度光ディスク（ＤＶＤ、ＤＶＤ−ＲＯＭ）が提案され実用化されようとしている。高密度光ディスクでは、光ピックアップの集光手段の開口数を従来型光ディスクの０．４５から０．６０に高めるとともに、半導体レーザーの波長を従来型光ディスクの７８０ｎｍから６５０ｎｍあるいは６３５ｎｍに短波長化することにより、光ディスクの記録面に結像されるスポット径をさらに微小化し、記録密度を従来型光ディスクの４．２倍程度にまで高めている。一方、ディスクの傾きにより生じる波面収差は開口数の３乗とディスク基板の厚みに比例するため、高密度光ディスクではディスクの傾きによる波面収差が増大することを抑制するために、ディスク基板の厚みを従来型光ディスクの１．２ｍｍに対して半分の０．６ｍｍに設定している。
【０００３】
このような背景にあって、高密度光ディスク用の光ピックアップ装置は、現在までに出版されたソフトの資産を有効に活用できるようにするために、高密度光ディスクだけでなく従来型光ディスクの再生が可能であることが要求されている。しかしながら、高密度光ディスク用に設計された光学系をそのまま従来型光ディスクに用いると、ディスク基板の厚みの違いにより大きな球面収差が発生して、結像スポットがボケて情報の再生ができないという問題が生じる。
【０００４】
さらに加えて第３の記録媒体としてＣＤ−Ｒと呼ばれている一回だけ書き換え可能な追記型光ディスクが存在している。このＣＤ−Ｒの反射膜は波長依存性が非常に高いので、規格で定められている７８０ｎｍ近傍の発振波長を有する光源しか用いることができない。
【０００５】
この問題を解決するための従来の技術について以下詳細に説明する。図１０は従来の光ピックアップの構成を示す図である。この従来例に示す光ピックアップでは、異なる規格の光ディスクを記録・再生するために２つの光学系を有している。図１０において、２００および３００は光源で、光源２００は高密度光ディスクを再生するために用いられる波長が６３５〜６５０ｎｍの半導体レーザーであり、光源３００は低密度光ディスクおよび追記型低密度光ディスク（以下まとめて低密度光ディスクと称す）を再生するために用いられる波長が７８０ｎｍの半導体レーザーである。２０１、３０１はプリズムで、プリズム２０１、３０１にはハーフミラー２０１ａ、３０１ａが設けられている。２０２、３０２はコリメータレンズで、コリメータレンズ２０２、３０２は拡散光を平行光に変換する働きを有している。２０３、３０３はアクチュエータで、アクチュエータ２０３には高密度光ディスク用対物レンズ２０４、アクチュエータ３０３にはと低密度光ディスク用対物レンズ３０４が保持されている。２０５は高密度光ディスク、３０５は低密度光ディスクである。２０６、３０６は光ディスク２０５、３０５からの反射光を検出する受光素子である。以上のような光学系は光ディスクの種類に応じて切り替えられるような構成を有している。
【０００６】
以下図１０に示す光ピックアップ装置の動作について説明する。
【０００７】
ここでは高密度光ディスクに対する動作についてのみ説明するが、低密度光ディスクにおいても対応する部分の記号を変えるだけで、同様に説明される。図１０において、光源２００から照射された光は所定の拡散角を有した状態でプリズム２０１に入射し、ハーフミラー２０１ａで透過された光束のみがコリメータレンズ２０２に入射する。そしてコリメータレンズ２０２で拡散光から平行光に変換された光束は対物レンズ２０４に入射する。高密度光ディスク用レンズ２０４に入射した光束は集光されて高密度光ディスク２０５に収束される。そして高密度光ディスク２０５で反射された光は、再び対物レンズ２０４、コリメータレンズ２０２を経てプリズム２０１に入射し、ハーフミラー２０１ａで反射され、受光素子２０６に導かれる。ここで光学部材や受光素子内の分割（図示せず）等によって、再生やフォーカシング、トラッキング等に必要な所定の信号光が得られる。受光素子２０６で生成された信号は信号処理回路へ送られ、所定の処理がなされた後、アクチュエータ２０３を駆動するアクチュエータ制御回路やシステム全体の制御を行うシステム制御回路へ送られる。システム制御回路では、外部からの制御信号や信号処理回路から受け取った信号を元に信号処理回路やディスク回転制御回路、粗動モータ制御回路等との信号をやりとりしながら、記録・再生を制御している。
【０００８】
そしてこのときどちらの光学系を用いるかは、ユーザによってセットされたディスクが高密度であるか低密度であるかを判断して切り替える。
【０００９】
また、記録・再生が可能な光ディスク装置において、記録を行う場合には再生時よりも光源の出力を大きくするため、記録時と再生時では受光素子に戻ってくる光量が大きく異なる。そのため記録時には、発生した光電流を電圧に変換した際、電流−電圧変換回路の出力が飽和したり、逆に再生時には出力が小さすぎてＳＮ比が低下したりして、サーボ信号の再生信号の形成に支障を来す場合がある。このため、電流−電圧変換回路の変換率を記録時と再生時とで切り換えることで対応している。また、再生時においても、再生専用ディスクと記録可能ディスクでは反射率が大きく異なる場合が考えられるため、この場合も電流−電圧変換回路の変換率を切り換える必要が生じる可能性がある。
【発明の開示】
【発明が解決しようとする課題】
【００１０】
しかしながら上記従来の構成では、２つの光学系を有し、また、信号の取り出しや信号処理回路、アクチュエータ制御回路等を２系統有しているため、ピックアップの容積や重量が大きく、回路規模も大きくなるため、装置全体の小型化や低消費電力化が非常に困難なものになっていた。
【００１１】
また、記録・再生時やディスク反射率の違いによる電流−電圧変換回路の変換率切り換えのためのスイッチやそのスイッチの制御信号発生のための回路を付加することによって、回路規模も大きくなるため、装置全体の小型化や低消費電力化が非常に困難なものになっていた。さらに、受光素子内に電流−電圧変換回路を有している光集積回路等においては、スイッチの制御信号を入力する端子を設ける必要があり、素子の端子数が増大し、光ピックアップの小型化が非常に困難なものになっていた。
【００１２】
本発明は前記従来の課題を解決するもので、光ピックアップの小型化と光ディスク駆動装置の小型化、回路規模の縮小化、低消費電力化を実現することを目的とする。
【課題を解決するための手段】
【００１３】
上記課題を解決するために、光電流出力を電圧に変換する電流−電圧変換回路を備えた信号光検出装置において、電流−電圧の変換率を切り換えられる手段を有した。さらに、光源からの光を検出し、その出力に応じて、電流−電圧変換率を切り換えられるようにした。
【発明の効果】
【００１４】
以上示してきたように、本発明では、光源からの光量を検出し、その出力応じて、信号光検出部の電流−電圧変換回路の変換率を少なくとも２段階以上に切り換えられる手段を備えたことにより、記録時と再生時との光源の出力差や、記録媒体の反射率の違いにより検出信号レベルが大幅に異なる場合でも、ＳＮ比の良いサーボ信号や再生信号を得ることができ、安定的に記録・再生が可能となる。さらに光源や、光源の光および記録媒体からの反射光を所定の位置に導く光学部材や、光源出力監視装置、信号光検出装置、および、信号光検出装置内の前記電流−電圧変換回路の変換率を少なくとも２段階以上に切り換えられる手段とを具備した光学ヘッドにおいては、光学ヘッドの入出力端子数を削減でき、光学ヘッド自体の大きさを小型化でき、さらに、信号光検出部の電流−電圧変換回路の変換率を切り換えるための制御信号を発生させる回路を光学ヘッドの外部に設ける必要が無く、回路規模を縮小化できる。また、光検出器の信号を用いて、記録・再生や制御を行う信号処理回路において信号ゲインの切り換えを行う回路を省略でき、信号処理回路部の簡素化が図れ、装置の小型化、低消費電力化を実現することができる。
【発明を実施するための最良の形態】
【００１５】
請求項１に記載の発明は、記録媒体から反射されてきた信号光を検出して電流に変換する光電変換部と、前記光電変換部からの電流出力を電圧に変換する電流−電圧変換回路とを備えた受光手段において、前記電流−電圧変換回路の変換率を少なくとも２段階以上に切り換える変換率切換手段を備えたことにより、記録時と再生時との光源の出力差や、記録媒体の反射率の違いにより検出信号レベルが大幅に異なる場合でも、ＳＮ比の良いサーボ信号や再生信号を得ることができ、安定的に記録・再生が可能となる。
【００１６】
請求項２に記載の発明は、光源から射出された光を検出して電流に変換する光電変換部と、前記光電変換部からの電流出力を電圧出力に変換する電流−電圧変換回路と、前記電流−電圧変換回路からの電圧出力を所定の基準電圧と比較する電圧比較器とを備えた光源出力監視装置と、記録媒体から反射されてきた信号光を検出して電流に変換する光電変換部と、前記光電変換部からの電流出力を電圧出力に変換する電流−電圧変換回路とを備えた信号光検出装置とを具備した受光手段において、前記光源出力監視装置の出力に応じて、前記信号光検出装置内の前記電流−電圧変換回路の変換率を少なくとも２段階以上に切り換える変換率切換手段を備えたことにより、記録時と再生時との光源の出力差や、記録媒体の反射率の違いにより検出信号レベルが大幅に異なる場合でも、ＳＮ比の良いサーボ信号や再生信号を得ることができ、安定的に記録・再生が可能となるとともに外部から制御する必要なく、光源と信号光検出装置との間でゲイン切り換えが可能となる。
【００１７】
請求項３に記載の発明は、光源と、前記光源からの光を検出し電流に変換する光電変換部と、前記光電変換部からの電流出力を電圧出力に変換する電流−電圧変換回路と、前記電流−電圧変換回路の電圧出力を所定の基準電圧と比較する電圧比較器とを備えた光源出力監視装置と、記録媒体から反射されてきた信号光を検出し電流に変換する光電変換部と、前記光電変換部からの電流出力を電圧に変換する電流−電圧変換回路とを備えた信号光検出装置とを具備した受光手段と、前記光源出力監視装置の出力に応じて、前記信号光検出装置内の前記電流−電圧変換回路の変換率を少なくとも２段階以上に切り換える変換率切換手段と、前記光源の光を所定の位置に導く光学部材と、を１つのパッケージに設けたことにより、受光手段の入出力端子数を削減できるので、光学ヘッド自体の大きさを小型化できる。さらに、信号光検出部の電流−電圧変換回路の変換率を切り換えるための制御信号を発生させる回路を素子の外部に設ける必要が無く、回路規模を縮小化できる。また、光検出器の信号を用いて、記録・再生や制御を行う信号処理回路において信号ゲインの切り換えを行う回路を省略でき、信号処理回路部の簡素化が図れ、装置の小型化、低消費電力化を実現することができる。
【００１８】
請求項４に記載の発明は、第１の光源と、第１の光源を駆動する第１の光源駆動手段と、第２の光源と、第２の光源を駆動する第２の駆動手段と、第１の光源からの光と第２の光源からの光を受光し、その受光した光の量に応じた電気信号を出力する受光部とを備え、前記電気信号により、第１の光源駆動手段と第２の光源駆動手段とを制御することにより、１つの光源に対して１つのモニター用受光部を設ける場合と比べて、光学ヘッドに設けられているピンの本数を削減できる。
【００１９】
（実施の形態１）
ここでは本発明の実施の形態１を用いて図を参照しながら説明する。
【００２０】
図１は、本発明の実施の形態１における光ピックアップの構成と光路を示す図で、光ピックアップの構成と光出射点からディスクに集光され、受光手段に導かれるまでの光の経路すなわち光路、さらに信号処理回路や制御回路等の処理・制御系を含めて示している。なお図１中で、点線は従来型光ディスクを再生する場合の光路を示し、実線は、高密度光ディスクを再生する場合の光路を示している。図１において、１は集積化された光学ヘッドであり、まず図２を用いてこの集積化された光学ヘッド１の内部について詳細に説明する。
【００２１】
図２は、本発明の実施の形態１における集積化した光学ヘッドの断面図で、図２において、７０はパッケージ７０で、パッケージ７０は、高密度光ディスク１８用の光を出射する光源２，低密度光ディスク１９用の光を出射する光源９や、高密度光ディスク１８及び低密度光ディスク１９で反射された光を受光する受光手段９１が載置される基板部７０ａ及びそれらの部材を包含するように設けられている側壁部７０ｂ等により形成されている。
【００２２】
次に光源２及び光源９（以下合わせて各光源と称す）を載置する光源載置部７１について説明する。光源載置部７１はその形状が直方体状若しくは板形状で、その上面若しくは側面には各光源が取り付けられている。この光源載置部７１は、基板部７０ａ若しくは側壁部７０ｂに別部材若しくは基板部７０ａ，側壁部７０ｂの一部として設けられており、各光源を載置するとともに、各光源で発生した熱を逃がす働きを有している。
【００２３】
７２は第１光学部材で、第１光学部材７２は光源２および光源９から出射された光を所定の光路に導くとともに光ディスクで反射されて戻ってきた光を所定の光路に導く働きを有している。
【００２４】
第１光学部材７２は、第一の斜面７２ａ，第二の斜面７２ｂ及び第３の斜面７２ｃを有しており、特に光が入射する面と出射される面とは略平行で、かつ、入射若しくは出射される光はこれらの面に略垂直に入射するような構成を有しているが好ましい。この様に形成することにより、入射する光に対する非点収差等の発生を抑制することができるので、透過する光の光学特性の劣化を防止することができる。
【００２５】
さらに第１の斜面７２ａ，第二の斜面７２ｂ及び７２ｃには各種の光学素子が形成されている。
【００２６】
以下第１光学部材７２中に存在する各種光学素子について説明する。
【００２７】
まず第１の斜面７２ａには、反射膜７３及び反射膜７４が形成されている。反射膜７３は、光源２から出射されてきた光を所定の方向に反射する働きを有しており、反射膜７４は光源９から出射されてきた光を所定の方向に反射する働きを有している。
【００２８】
そして第２の斜面７２ｂには、偏光分離膜７５，７６が形成されている。偏光分離膜７５には、光源９から出射され、反射膜７３で反射されてきた光が入射し、偏光分離膜７５には光源２から出射され、反射膜７３で反射されてきた光が入射する。これらの偏光分離膜７５，７６は、特定の偏光方向を有する光を透過し、それ以外の偏光方向を有する光を反射する働きを有している。
【００２９】
次に第２の斜面７２ｂに設けられている他の光学部材について説明する。
【００３０】
７７及び７８はモニター光用のホログラムで、ホログラム７７は光源２から出射され、反射膜７３で反射された光のうちの一部を所定の方向へ反射回折する働きを有している。このホログラム７７で反射回折された光は、第１光学部材７２の上面に設けられている反射部７９に導かれ、その後受光手段上に設けられたモニター光受光部に入射する。そしてモニター光受光部からの電気信号を元に光源２に加える電力を調整して、光源２から出射される光の光量が常に最適値となるように制御を行う。
【００３１】
またホログラム７８は光源９から出射され、反射膜７４で反射された光のうちの一部を所定の方向へ反射回折する働きを有している。このホログラム７８で反射回折された光は、第１光学部材７２の上面に設けられている反射部８０に導かれ、その後受光手段上に設けられたモニター光受光部に入射する。そしてモニター光受光部からの電気信号を元に光源９に加える電力を調整して、光源９から出射される光の光量が常に最適値となるように制御を行う。
【００３２】
さらに第２の斜面７２ｂの最も光源寄りの部分には反射膜８１，８２が設けられている。反射膜８１は、光路分割手段８３で反射されて入射してきた光を反射して所定の位置に導く働きを有しており、反射膜８２は光路分割手段８４で反射されて入射してきた光を反射して所定の位置に導く働きを有している。
【００３３】
最後に第３の斜面７２ｃには光路分割手段８３，８４が形成されている。この光路分割手段８３は、光源２から出射されて高密度光ディスク１８で反射されて戻ってきた光を透過するか、若しくは、反射する働きを有しており、光路分割手段８４は、光源９から出射されて低密度光ディスク１９で反射されて戻ってきた光を透過するか、若しくは、反射する働きを有している。ここでは光路分割手段８３は空間的に半分を透過し、半分を反射するミラーが形成されており、光路分割手段８４は透過する光量と反射する光量とが略同量となるようにハーフミラーを用いてある。
【００３４】
次に第２光学部材８６について説明する。
【００３５】
第２光学部材８６はパッケージ７０の側壁部７０ｂに設けられている開口部７０ｄを塞ぐように設けられており、パッケージ７０の側壁部７０ｂとは、紫外線硬化樹脂，エポキシ樹脂及び接着ガラス等で接合されている。第２光学部材８６は、第１基板８６ａ、第２基板８６ｂを有している。以下これらの基板について順次説明する。
【００３６】
まず第１基板８６ａは平行平面形状を有するガラスや樹脂等の良好な透光性を有する材料から形成されており、そのシールド部材８５側の端面の光源９からの光が通る領域には拡散角変換手段８７が形成されている。この拡散角変換手段８７は第２光学部材８６の光源９と反対側の側の端面に、光源９から出射される光の光軸に合わせて設けられており、光源９から入射してきた光の拡散角を負にする働き、すなわち光源９の発光点９ａから出射された光を見た目上より近くから出射されたように光路を変換する働きを有しているもので、実質的に記録媒体に近づく方向に発光点をずらしている。これにより光源９の発光点は真の発光点９ａから見かけ上の発光点９ｂに移動し、従って光源９から記録媒体までの光路長を見かけ上短くする働きを有している。拡散角変換手段８７としては回折格子特にホログラムで形成されていることが、光を高効率で透過させることができるので好ましい。特にホログラムとしては、４段以上の階段状断面や鋸歯状断面を有するものを用いることが、特に高効率に光を利用でき、光量の減少を防止できるので好ましい。
【００３７】
次に第２基板８６ｂは、第１の斜面８６ｄ及び第２の斜面８６ｅを有し、更に第１の斜面８６ｄには偏光分離膜８８ａとビーム分離部８８ｂを備えた複数ビーム形成手段８８が形成されており、第２の斜面８６ｅにはフィルタ８９が形成されている。
【００３８】
第２基板８６ｂは、光源２および光源９から出射され、第１光学部材７２を介して導かれてきた光を所定の光路に導くとともに光ディスクで反射されて戻ってきた光を所定の光路に導く働きを有している。
【００３９】
さらに第２基板８６ｂは、第一の斜面８６ｄ，第二の斜面８６ｅを有しており、特に光が入射する面と出射される面とは、光の光軸に対して略垂直で、かつ、それぞれの面が略平行となるように構成されているが好ましい。この様に形成することにより、入射する光に対する収差等の発生を抑制することができるので、透過する光の光学特性の劣化を防止することができる。
【００４０】
また第１の斜面８６ｄと第２の斜面８６ｅは互いに略平行で、かつ、第１光学部材７２を通過する光の光軸に対して略垂直な方向に傾斜を有するように形成されている。
【００４１】
さらに第１の斜面８６ｄには、複数ビーム形成手段８８が設けられている。複数ビーム形成手段８８は偏光方向に合わせて光を反射するかもしくは透過する偏光分離膜８８ａと入射してきた光を複数の光束に分離して反射するビーム分離部８８ｂを有しており、光源９から出射され、拡散角変換手段８７を通過してきた光は偏光分離膜８８ａをほとんど透過して、ビーム分離部８８ｂに入射する。そして入射してきた光をビーム分離部８８ｂで複数の光束に分離・反射している。
【００４２】
ここでビーム分離部８８ｂは、回折格子で形成することが、効率よく複数の光束を形成することができるので好ましい。ここでは回折格子で発生する０次光および±１次光の３つの光束を主に形成するような構成を有している。
【００４３】
ここで形成された複数の光束は低密度光ディスク１９のトラックの所定の位置に照射され、戻ってきた光の光量を比較することにより、低密度光ディスク１９のトラッキングを行う通称３ビーム法と呼ばれるトラッキング方法に供される。
【００４４】
なおトラッキング方法として３ビーム法を用いない場合には、複数ビーム形成手段は設けなくて良い。
【００４５】
そして第２の斜面８６ｅには波長選択性のあるフィルタ８９が形成されている。フィルタ８９は光源２から導かれてきた光をほぼ８０％以上透過し、光源９から導かれてきた光をほぼ８０％以上反射する働きを有している。
【００４６】
そしてこの第２光学部材８６により、光源２からの光と光源９からの光が略同一の光軸に導かれることになる。
【００４７】
そして光源９からの光が第２光学部材８６に入射してきて複数ビーム形成手段８８で反射された後にフィルタ８９に入射するまでの光路は第１光学部材７２中を進む光を含む平面に対して略垂直方向に進むように形成されている。
【００４８】
９０は１／４波長板で、１／４波長板９０は、フィルタ８９を透過してきた光源２からの光と、フィルタ８９で反射されてきた光源９からの光の双方の偏光方向を直線偏光から楕円偏光に変換する働きを有している。
【００４９】
なお１／４波長板９０としては、本実施の形態に示すような所定の厚さを有する板状のものを用いても良いし、薄膜で形成しても良い。
【００５０】
９１は受光手段で、受光手段９１は、光路分割手段８３、８４を透過してきた光及び光路分割手段８３、８４で反射された後反射膜８１、８２で反射されてきた光を受光するもので、ともにＲＦ信号、モニター信号、トラッキング信号及びフォーカシング信号を形成するのに必要な位置に必要な形状で必要な個数の各種受光部が形成されている。
【００５１】
以上示してきたように、複数の発振波長の異なる光源からの光を複数の光学素子が形成された光学部材に入射させて所定の光路に導くような構成としたことにより、従来それぞれの光源に対して複数設けられていた光学素子等を１つに集約できるので、分散配置された光ピックアップに比べて、光ピックアップ全体の大きさを大幅に小型化することができるとともにそれぞれの光源に対する各光学素子間の位置あわせ等も不要になるので生産性が大幅に向上し、さらには各光学素子の取り付け誤差も最小限度に抑制することができるので良好な光学特性を実現でき、加えて各光学素子の取り付け誤差に起因する光の損失を最小限に抑止できるので光の利用効率の良好な光ピックアップを実現することができる。
【００５２】
さらに光源２から出射された光と光源９から出射された光の少なくとも一方を光学部材７２，８６で複数回反射して所定の光路に導くことにより、パッケージ７０全体の大きさを小さくすることができるとともに反射なしで導く場合に比べて光学部材８６を出てからの光路長を短くできるので、光ピックアップの小型化・薄型化を図ることができる。
【００５３】
また光源２および光源９からの光を複数の光学素子が形成された光学部材７２，８６に入射させて所定の光路に導くことにより、高密度光ディスク１８に対する光も低密度光ディスク１９に対する光も、ともに正確にそれぞれの記録媒体に導くことができるとともに、複数の光源それぞれに対応した複数の光学系を異なる光学部材を用いて形成する必要がなくなり、部品点数の削減による生産性の向上及びそれぞれの構成部材の位置あわせの簡略化を行うことができる。
【００５４】
以上のような構成を有する光ピックアップの動作について説明する。
【００５５】
記録媒体が高密度光ディスク１８である場合には、光源２から出射された光を用いて記録若しくは再生を行う。この場合、光源２から出射された光は、まず第１光学部材７２の第１の斜面７２ａに形成された反射膜７３で反射されて、第２の斜面７２ｂに形成されている偏光分離膜７５に入射する。この偏光分離膜７５は光源２から出射された直線偏光を反射し、それと直交する偏光方向の光を透過する働きを有しているので、光源２から入射してきた光は反射される。
【００５６】
その後第１光学部材７２から出射された光は、シールド部材８５を透過して、第２光学部材８６の第１基板８６ａを透過した後、第２光学部材８６の第２基板８６ｂの第２の斜面８６ｅに形成されたフィルタ８９を透過して第２光学部材８６から出射され、１／４波長板９０に入射する。この１／４波長板９０に入射した光は、その偏光方向を直線偏光から楕円偏光に変換されて１／４波長板９０から出射される。
【００５７】
その後光源２から出射された光は、コリメータレンズがある場合にはコリメータレンズ１６を通過して略平行光に変換されてから、無い場合には直接集光レンズ１７に入射し、高密度光ディスク１８へ収束する。
【００５８】
そして高密度光ディスク１８で反射されて戻ってきた光は再び１／４波長板９０に入射する。この光は、高密度光ディスク１８で反射される際に楕円偏光の回転方向が入射時のそれと比べて反対になっているので、１／４波長板９０を通過する際には楕円偏光から光源２から出射された往きの光の偏光方向と略直交する直線偏光に変換されることとなる。即ち仮に光源２から出射される際にＳ偏光で出射された光は、Ｐ偏光で光学部材に入射することとなる。
【００５９】
１／４波長板９０を通過した光は、第２光学部材８６に入射し、第２基板８６ｂの第２の斜面８６ｅに形成してあるフィルタ８９をほとんど透過して、第２光学部材８６から出射され、シールド部材８５を透過して、第１光学部材７２に入射する。
【００６０】
そして第１光学部材７２の第２の斜面７２ｂに形成されている偏光分離膜７５に入射する。この時入射してきた光の偏光方向は出射時のそれと比べると直交する向きになっているので、光は偏光分離膜７５をほとんど透過して、第１光学部材７２の第３の斜面７２ｃに形成されている光路分割手段８３に入射する。この光路分割手段８３により、入射してきた光は、その略半分が透過され、略半分が反射されることになる。
【００６１】
そして光路分割手段８３を透過した光は、そのまま第１光学部材７２の下に設けられている受光手段９１の所定の位置に形成されている受光部９１ａに所定の形状の光束が形成され、目的に応じた信号形成に供される。
【００６２】
また光路分割手段８３で反射された光は、第１光学部材７２の第２の斜面７２ｂに設けられている反射膜８１で反射されて受光手段９１に設けられている所定の受光部９１ａに所定の形状の光束が形成され、目的に応じた信号形成に供される。
【００６３】
記録媒体が低密度光ディスク１９である場合には、光源９から出射された光を用いて記録若しくは再生を行う。この場合、光源９から出射された光は、まず第１光学部材７２の第１の斜面７２ａに形成された反射膜７４で反射されて、第２の斜面７２ｂに形成されている偏光分離膜７６に入射する。この偏光分離膜７６は光源９から出射された直線偏光を反射し、それと直交する偏光方向の光を透過する働きを有しているので、光源９から入射してきた光は反射される。
【００６４】
その後第１光学部材７２から出射された光は、第２光学部材８６の第１基板８６ａの下端面に形成された拡散角変換手段８７に入射する。この拡散角変換手段８７により、光源９から出射された光は拡散角を変換されて、拡散光だった光は収束光となって第２基板８６ｂから出射され、第２光学部材８６の第２基板８６ｂの第１の斜面８６ｄに形成された複数ビーム形成手段８８に入射し、偏光分離膜８８ａを透過して、ビーム分離部８８ｂで反射される際に１本のメインビームと２本のサイドビームとに分離されたのち、第２の斜面８６ｅに形成されているフィルタ８９に入射する。このフィルタ８９は光源９から出射された光を反射し、光源２から出射された光を透過するように形成されているので、複数ビーム形成手段８８からフィルタ８９に入射した光はほとんど反射されて第２光学部材８６から出射される。
【００６５】
その後光源９から出射された光は、１／４波長板９０に入射する。この１／４波長板９０に入射した光は、その偏光方向を直線偏光から楕円偏光に変換されて１／４波長板９０から出射される。
【００６６】
その後光源９から出射された光は、コリメータレンズがある場合にはコリメータレンズ１６を通過して略平行光に変換されてから、無い場合には直接集光レンズ１７に入射し、高密度光ディスク１８へ収束する。
【００６７】
そして低密度光ディスク１９で反射されて戻ってきた光は再び１／４波長板９０に入射する。この光は、低密度光ディスク１９で反射される際に楕円偏光の回転方向が入射時のそれと比べて反対になっているので、１／４波長板９０を通過する際には楕円偏光から光源９を出射された往きの光の偏光方向と略直交する直線偏光に変換されることとなる。即ち仮に光源９から出射される際にＳ偏光で出射された光は、Ｐ偏光で光学部材に入射することとなる。
【００６８】
１／４波長板９０を通過した光は、第２光学部材８６に入射し、その第２基板８６ｂの第２の斜面８６ｅに形成してあるフィルタ８９でほとんど反射されて、第１の斜面８６ｄに設けられている複数ビーム形成手段８８に入射する。この場合は、入射する光の偏光方向が往きの光とは略直交する方向となっているので、入射してきた光はビーム分離部８８ｂにほとんど入射することなく偏光分離膜８８ａで反射されて、第２基板８６ｂから出射され、第１基板８６ａに形成されている拡散角変換手段８７に入射する。
【００６９】
この拡散角変換手段８７で拡散光として入射してきた光は、その拡散角を変換されて収束光となって第２光学部材８６から出射され、シールド部材８５を透過して、第１光学部材７２に入射する。
【００７０】
そして第１光学部材７２の第２の斜面７２ｂに形成されている偏光分離膜７６に入射する。この時入射してきた光の偏光方向は出射時のそれと比べると略直交する向きになっているので、光は偏光分離膜７６をほとんど透過して、第３の斜面７２ｃに形成されている光路分割手段８４に入射する。この光路分割手段８４により、入射してきた光は、その略半分が透過され、略半分が反射されることになる。
【００７１】
そして光路分割手段８４を透過した光は、そのまま第４光学部材の下部に設けられている受光手段９１の所定の位置に形成されている受光部９１ｂに所定の形状の光束が形成され、目的に応じた信号形成に供される。
【００７２】
また光路分割手段８４で反射された光は、第２の斜面７２ｂに設けられている反射膜８２で反射されて受光手段９１に設けられている所定の受光部９１ｂに所定の形状の光束が形成され、目的に応じた信号形成に供される。
【００７３】
受光手段９１で形成された信号は光学ヘッド１の入出力端子７０ｃを介して信号処理回路４００へ送られ、再生やフォーカシング、トラッキング等に必要な所定の信号を形成した後、アクチュエータ２０を駆動するアクチュエータ制御回路４０１やシステム全体の制御を行うシステム制御回路４０２へ送られる。システム制御回路４０２では、外部からの制御信号や信号処理回路４００から受け取った信号を元に信号処理回路４００やディスク光部の制御回路４０３、粗動モータ制御回路４０４等との信号をやりとりしながら、再生若しくは記録を制御している。
【００７４】
次に図３、図４を用いて受光手段９１の構成及び信号の形成方法について詳細に説明する。
【００７５】
図３は本発明の実施の形態１における受光手段の構成を示す図である。
【００７６】
図３において、９１ａは高密度光ディスク用の受光部であり、受光部Ａ，Ｂ，Ｃ，Ｄ，Ｅ，Ｆが形成されている。９１ｂは低密度光ディスク用の受光部であり、受光部Ｇ、Ｈ、Ｉ、Ｊが形成されている。
【００７７】
また、Ｍはモニター用の受光部であり、モニター光用のホログラム７７、７８で分離された光源２、９からの光の一部が導かれる。受光部Ｍで受光光量に応じて発生した光電流は、光源駆動回路を含む信号処理回路４００へ送られ、光源２および光源９からの出射光量が所定の光量になるように、光源２、９に供給される電力を制御する。
【００７８】
ここで受光部Ｍは光源２および光源９からの光量モニターを行っている。光学ヘッド１においては、記録若しくは再生するメディアが高密度光ディスク１８であるか低密度光ディスク１９であるかによって、光源２か若しくは光源９のいずれかを発光させるような構成を採っている。即ち一時に受光部Ｍに入射してくる光束は、ホログラム７７で回折されてきた光源２から出射されてきた光か若しくはホログラム７８で回折されてきた光源９からの光束かのいずれか一方である。このため１つの受光部Ｍのみで光源２からの光量と光源９からの光量の双方をモニターすることが可能になるのである。
【００７９】
このように、１つの光学ヘッド内に設けられた２つの光源２，９からの光の光量モニターを１つの受光部Ｍで行うような構成としたことによって、１つの光源に対して１つのモニター用受光部を設ける場合と比べて、光学ヘッド１に設けられている入出力端子であるピン７０ｃの本数を削減できるので、削減したピンを設けていたスペースの分だけ光学ヘッド１を小型化することができる。更に設置するピンの本数が削減できることにより、光学ヘッド１におけるピンの配置に自由度が増すので、光学ヘッド１の薄型化も可能になる。また、光源駆動回路も統合することが出来、回路規模を縮小化できるため、装置の小型化も実現できる。
【００８０】
この受光手段９１には、受光部Ａ〜Ｊ、Ｍで発生される光電流を電圧信号に変換する電流−電圧変換回路４０５ａ〜ｊや、光源２の正電極が基準の電圧を越えているかどうかを比較する電圧比較器４０７、受光部ＡＢＦ若しくは受光部ＣＤＥからの信号を加算する加算器４０６ａ，４０６ｂおよび電圧比較器４０７からの出力信号に基づいて受光部の切り換えを行うアナログスイッチ４０８ａ，４０８ｂ等が半導体プロセスによって形成されており、図４にその概略図を示す。図４は本発明の実施の形態１における受光手段の内部回路の構成を示す図である。
【００８１】
高密度光ディスクからの反射光は第１光学部材７２にもどり、光路分割手段８３を透過した光は、結像される前に受光手段９１の達し、受光部Ａ、Ｂ、Ｅに図３に示すように半月状に像を形成する。また光路分割手段８３で反射された光は、反射膜８１で反射されて受光手段９１に達する前に結像し、受光部Ｃ、Ｄ、Ｆ上に反転した半月状の像を形成する。それぞれの受光部で発生した光電流は電流−電圧変換回路で電圧信号に変換された後、そのまま出力されるとともに加算器へも送られ、（ＶＡ＋ＶＢ＋ＶＦ）と（ＶＣ＋ＶＤ＋ＶＥ）が形成される。この（ＶＡ＋ＶＢ＋ＶＦ）と（ＶＣ＋ＶＤ＋ＶＥ）の差を取ることによって、フォーカスエラー信号が形成される。このフォーカスエラー信号の形成方法はいわゆるスポットサイズ検出（ＳＳＤ）法と呼ばれる方法である。
【００８２】
また、ＶＡ、ＶＢ、ＶＣ、ＶＤは後段の信号処理回路４００へ送られ、（ＶＡ＋ＶＣ）と（ＶＢ＋ＶＤ）の位相差を比較することによって、トラックエラー信号が得られる。このトラックエラー信号の形成方法はいわゆる位相差検出（ＤＰＤ）法と呼ばれる方法である。また、（ＶＡ＋ＶＤ）と（ＶＢ＋ＶＣ）の差を取ることによってもトラックエラー信号が得られる（プッシュプル法）。いずれの方法に依るかはディスクの種類によって選択される。
【００８３】
次に低密度光ディスクからの反射光は第１光学部材７２にもどり、ハーフミラーで形成される光路分割手段８４を透過した光は、結像される前に受光手段９１の達し、受光部Ｈ、Ｇ、Ｈに図のように円形状に像を形成する。また光路分割手段８４で反射された光は、反射膜８１で反射されて受光手段９１に達する前に結像し、受光部Ｇ、Ｈ、Ｇ上に反転した円形状の像を形成する。また、光源９からに光は複数ビーム形成手段８８によって予め３つのビームに分けられているので、光路分割手段８４によってさらに分割され、受光部Ｉ、Ｊ上にも同様に円形状の像を形成する。それぞれの受光部で発生した光電流は電流−電圧変換回路４０５で電圧信号に変換される。形成されたＶＧとＶＨの差を取ることによって、高密度光ディスクの場合と同様にスポットサイズ検出法でフォーカスエラー信号が形成される。またＶＩとＶＪの差によってトラックエラー信号（３ビーム法）が得られる。
【００８４】
ここで、一般に高密度光ディスクと低密度光ディスクは同時に記録若しくは再生できないので、（ＶＣ＋ＶＤ＋ＶＥ）とＶＧ、（ＶＡ＋ＶＢ＋ＶＦ）とＶＨはいずれか一方のみが出力されれば所定の信号形成を行うことができる。従って、受光手段９１に内部スイッチを設けて、その内部スイッチを切り換えることにより、受光部９１ａからの出力と受光部９１ｂからの出力とを切り換えられるようにすれば、光学ヘッド１に設けられている受光手段からの信号を光学ヘッドの外部に出力する入出力端子（ピン７０ｃ）の数を削減できる。これによって光学ヘッド１を小型化することができるとともに、このような内部スイッチ４０８ａ，４０８ｂとしてはＣＭＯＳ等の半導体プロセスによって形成されるアナログスイッチ等で形成できる。さらに同じ演算を行うので、後段の信号処理回路も統合することができ、回路規模を縮小化でき、装置全体の小型化と低消費電力化が実現できる。
【００８５】
また、受光手段９１の内部スイッチを制御する信号形成手段として、図５、図６、図７に示すように、複数の光源の動作状態を検知して形成する方法を用いれば、光学ヘッド１の内部にスイッチの制御手段を設けることができ、入出力端子数を削減でき、光学ヘッド１を小型化することができる。
【００８６】
以下、スイッチの制御手段としていくつかの具体的な例について説明する。
【００８７】
図５は、本発明の実施の形態１における受光手段の内部回路の構成を示す図であり、第１のスイッチの制御手段を概念的に表している。図５において、光源２としての半導体レーザーＬＤ１と光源９としての半導体レーザーＬＤ２とが設けられており、ＬＤ１若しくはＬＤ２が動作中のそれぞれの正極側の電位は一般的に２〜３Ｖ程度である。従って基準電位１〜２Ｖ程度に設定された電圧比較器４１１によってＬＤ１駆動回路４０９から供給されているＬＤ１の電圧若しくはＬＤ２駆動回路４１０から供給されているＬＤ２の電圧のいずれか一方を基準値と比較して検知することにより、いずれの光源が動作しているかを検知することができる。そして検知結果に応じて電圧比較器４１１からコントロール信号を出力することによって、スイッチ４０８を切り換えて制御することが可能となる。
【００８８】
なお本実施の形態においては、ＬＤ１若しくはＬＤ２の一方のみの電圧を電圧比較器４１１で規定値以上か以下かを比較して、スイッチングを行っていたが、両方を比較してスイッチングしても良い。
【００８９】
図６は、本発明の実施の形態１における受光手段の内部回路の構成を示す図であり、第２のスイッチの制御手段を概念的に表している。図６において、光源２としての半導体レーザーＬＤ１と光源９としての半導体レーザーＬＤ２とが設けられており、ＬＤ１若しくはＬＤ２が動作中に駆動回路４０９，４１０からそれぞれの光源に流れる駆動電流は数十〜百ｍＡ程度である。この電流が流れているか否かをモニターして、モニターしている光源に電流が流れていれば、モニターしている光源に対応した受光部側にスイッチ４０８を切り換えるコントロール信号を発生させ、モニターしている光源に電流が流れていなければ、モニターしていない光源に対応した受光部側にスイッチ４０８を切り換えるコントロール信号を発生させることによって、スイッチ４０８を適宜制御することが可能となる。具体的には高抵抗の抵抗器を用いてＬＤ１およびＬＤ２に流れている電流の一部を分岐させトランジスタに導き、そのトランジスタをスイッチングすることによって制御信号を発生させることができる。
【００９０】
なお本実施の形態においては、ＬＤ１若しくはＬＤ２に電流を供給する駆動回路４０９，４１０のいずれか一方からの電流をモニターして、規定値以上か以下かを比較してコントロール信号を出力して、スイッチ４０８のスイッチングを行っていたが、両方を比較し、その結果をコントロール信号とすることでスイッチ４０８のスイッチングをしても良い。
【００９１】
図７に第３のスイッチの制御手段を概念的に表す図を示す。
【００９２】
なお、図４には図５に示した実施の形態を用いて構成した例を示してある。すなわち、図４において、電圧比較器の入力端子に光源２の正電極と接続し、電圧比較器によって光源２の正電極の電位をモニターする。電圧比較器は光源２が動作の有無によってコントロール信号を出力し、［（ＶＣ＋ＶＤ＋ＶＥ）、（ＶＡ＋ＶＢ＋ＶＦ）］と［ＶＧ、ＶＨ］とを切り換えるスイッチ４０８ａ，４０８ｂを制御する。ここで、光源２としては、動作中、正極側に２〜３Ｖ程度の電位を生じる半導体レーザーが好ましい。
【００９３】
また本実施の形態においては、受光手段９１に高密度光ディスク用の受光部９１ａと低密度光ディスク用の受光部９１ｂとを設けていたが、高密度光ディスク用の受光手段と低密度光ディスク用の受光手段とを別々に配しても良い。
【００９４】
更に上記した方法以外でも、たとえば別に設けられたディスク判定手段からの出力信号に基づいて、スイッチの切り換えを行う方法や、マイコンを用いた総合的な制御の一環として、スイッチの切り換え行うことも考えられる。
【００９５】
このように、複数の光源と、その複数の光源にそれぞれ対応する複数の光検出器とを備えた光ピックアップ若しくは光学ヘッドにおいて、光源の動作の有無を検出し、その出力に応じて、各光源に対応する光検出器の出力を選択的に切り換えて出力することにより、光検出器からの信号線数を削減することができ、特にこれらの手段を集積化した光学ヘッドにおいては、光学ヘッドの入出力端子数を削減でき、光学ヘッド自体の大きさを小型化でき、さらに出力を選択するための制御信号を発生させる回路を素子の外部に設ける必要が無く、回路規模を縮小化できる。また、光検出器の信号を用いて、記録・再生や制御を行う信号処理回路を一部統合化することによって、回路部の簡素化が図れ、装置の小型化、低消費電力化を実現することができる。
【００９６】
（実施の形態２）
次に本発明の実施の形態２について図１，図２，図８及び図９を参照しながら説明する。
【００９７】
図８は本発明の実施の形態２における受光手段の受光部の構成を示す図、図９は本発明の実施の形態２における受光手段の内部回路の構成を示す図である。
【００９８】
本実施の形態における構成および動作はほとんどの場合、実施の形態１と同じなので共通部分については同一の符号を付し、詳細な説明は省略する。すなわち、光源２、９から出射され光ディスク１８、１９で反射された光が受光手段９１へ導かれ、所定の信号が形成され、記録・再生が行われる。
【００９９】
図８において、Ｋは光源２から出射される光の量を監視するモニター用の受光部であり、ゲインコントロール信号を出力する働きを有し、出射光束からモニター光を分離する働きを有するホログラム７７で分離された光源２のモニター光の一部が導かれる。ホログラム７７の入射光束に対する分離光束への回折効率は光量によらず一定であると考えられるので、光源２からの出射光量が増えれば受光部Ｋに入射する光量は増加し、光源２からの出射光量が減れば受光部Ｋに入射する光量は減少することになる。受光部Ｋで光電変換により入射光量に比例して発生した光電流は、図９に示すように、受光手段９１に形成された電流−電圧変換回路４０５ｋで電圧に変換された後、電圧比較器４１５により、記録時の光源からの出力と再生時の光源からの出力との出力差を検知し、その出力差に応じたゲインコントロール信号が形成される。このゲインコントロール信号により高密度光ディスク用の受光部Ａ〜Ｆの電流−電圧変換回路４０５ａ〜ｆに設けられているゲイン切り換えスイッチ４１６ａ〜ｆの負荷抵抗が適宜切り換えられ、所定のゲインを得ることができるようになる。
【０１００】
このように、光源からの光量を検出し、その出力応じて、信号光検出部の電流−電圧変換回路の変換率を切り換えられる手段を有したことにより、記録時と再生時との光源の出力差や記録媒体の反射率の違いにより検出信号レベルが大幅に異なる場合でも、ＳＮ比の良いサーボ信号や再生信号を得ることができ、安定的に記録・再生が可能となる。さらに光源や、光源の光および記録媒体からの反射光を所定の位置に導く光学部材や、光源出力監視装置、信号光検出装置、および、信号光検出装置内の電流−電圧変換回路の変換率を切り換えられる手段とを具備した光学ヘッドにおいては、光学ヘッドの入出力端子数を削減でき、素子自体の大きさを小型化でき、さらに、信号光検出部の電流−電圧変換回路の変換率を切り換えるための制御信号を発生させる回路を素子の外部に設ける必要が無く、回路規模を縮小化できる。また、光検出器の信号を用いて、記録・再生や制御を行う信号処理回路において信号ゲインの切り換えを行う回路を省略でき、信号処理回路部の簡素化が図れ、装置の小型化、低消費電力化を実現することができる。このことにより特に携帯型のパソコン等の情報端末に搭載される光ディスクドライブに最適な光ピックアップを提供することができる。
【０１０１】
なお本実施の形態では光源モニター用の受光部として、光源駆動回路制御用の受光部Ｍとスイッチ切り換え用の受光部Ｋとを別々に設けていたが、これらは同一の受光部を用いて行っても良い。
【産業上の利用可能性】
【０１０２】
本発明は、記録時と再生時との光源の出力差や、記録媒体の反射率の違いにより検出信号レベルが大幅に異なる場合でも、ＳＮ比の良いサーボ信号や再生信号を得ることができ、安定的に記録・再生が可能となることが必要とされる、光ディスクの情報の記録や再生を行う光ピックアップ装置、特に、ＣＤやＣＤ−ＲＯＭ、ＣＤ−Ｒ等の従来型光ディスクやデジタルビデオディスク（ＤＶＤ、ＤＶＤ−ＲＯＭ、ＤＶＤ−ＲＡＭ）等の高密度光ディスクのようにディスク基板の厚みや記録密度等の規格の異なる光ディスクの記録や再生が可能な光ピックアップに適用することができる。
【図面の簡単な説明】
【０１０３】
【図１】本発明の実施の形態１における光ピックアップ装置の構成と光路を示す図
【図２】本発明の実施の形態１における集積化した光学ヘッドの断面図
【図３】本発明の実施の形態１における受光手段の受光部の構成を示す図
【図４】本発明の実施の形態１における受光手段の内部回路の構成を示す図
【図５】本発明の実施の形態１における受光手段の内部回路の構成を示す図
【図６】本発明の実施の形態１における受光手段の内部回路の構成を示す図
【図７】本発明の実施の形態１における受光手段の内部回路の構成を示す図
【図８】本発明の実施の形態２における受光手段の受光部の構成を示す図
【図９】本発明の実施の形態２における受光手段の内部回路の構成を示す図
【図１０】従来の光ピックアップの構成と光路を示す図
【符号の説明】
【０１０４】
１    光学ヘッド
２    光源
９    光源
１６    コリメータレンズ
１７    集光レンズ
１８    高密度光ディスク
１９    低密度光ディスク
２０    アクチュエータ
７０    パッケージ
７０ａ    基板部
７０ｂ    側壁部
７０ｃ    端子
７０ｄ    開口部
７１    光源載置部
７２    第１光学部材
７２ａ    第１の斜面
７２ｂ    第２の斜面
７２ｃ    第３の斜面
７３，７４    反射膜
７５，７６    偏光分離膜
７７，７８    ホログラム
７９，８０    反射部
８１，８２    反射膜
８３，８４    光路分割手段
８５    シールド部材
８６    第２光学部材
８６ａ    第１基板
８６ｂ    第２基板
８６ｄ    第１の斜面
８６ｅ    第２の斜面
８７    拡散角変換手段
８８    複数ビーム形成手段
８８ａ    偏光分離膜
８８ｂ    ビーム分離部
８９    フィルタ
９０    １／４波長板
９１    受光手段
９１ａ    受光部
９１ｂ    受光部
４００    信号処理回路
４０１    アクチュエータ制御回路
４０２    システム制御回路
４０３    ディスク制御回路
４０４    粗動モータ制御回路
４０５    電流−電圧変換回路
４０６    加算器
４０７    電圧比較器
４０８    スイッチ
４０９    ＬＤ１駆動回路
４１０    ＬＤ２駆動回路
４１１    電圧比較器
４１２    電流モニター
４１３    電流−電圧変換回路
４１４    電圧比較器
【図１】
2005276434.tif 000003
【図２】
2005276434.tif 000004
【図３】
2005276434.tif 000005
【図４】
2005276434.tif 000006
【図５】
2005276434.tif 000007
【図６】
2005276434.tif 000008
【図７】
2005276434.tif 000009
【図８】
2005276434.tif 000010
【図９】
2005276434.tif 000011
【図１０】
2005276434.tif 000012